(57)【要約】【課題】筆記具の軸筒に挿着可能な嵌合孔を形成した消しゴムにおいて、軸筒に挿着した際に、消しゴムの全体形状を適宜に変化可能とする玩具的要素を取り入れ、より一層購買者の購買意欲を掻立てられる消しゴムを提供するものである。【解決手段】消しゴムで形成された複数のブロックを設ける。前記ブロックの各々に、厚み方向に貫通した筆記具の軸筒に挿着可能な嵌合孔を形成する。さらには、ブロックに形成する前記嵌合孔をブロックの形状の中心点から変位した位置に設けたブロックを、消しゴムセットの中に少なくとも１つ以上含む。、【選択図】図２
2006289753.tif 000002
【特許請求の範囲】
【請求項１】
消しゴムで形成された複数のブロックからなる消しゴムセットあって、前記ブロックの各々に、厚み方向に貫通した筆記具の軸筒に挿着可能な嵌合孔を形成してなる消しゴムセット。
【請求項２】
前記複数のブロックにおいて、前記嵌合孔がブロックの形状の中心点から変位した位置に形成されたブロックが少なくとも１つ以上有することを特徴とする、請求項１に記載の消しゴムセット。
【請求項３】
前記複数のブロックにおいて、各々のブロックの形状がそれぞれ異なることを特徴とする、請求項１又は２に記載の消しゴムセット。
【請求項４】
前記複数のブロックが、複数の種類の消しゴムで形成されていることを特徴とする、請求項１ないし３の何れか１項に記載の消しゴムセット。
【発明の詳細な説明】
【技術分野】
【０００１】
本発明は、消しゴムで形成された複数のブロックからなる消しゴムセットに関する。
【背景技術】
【０００２】
従来から、機能あるいは用途別に様々な消しゴムが提供されている。例えば鉛筆芯の筆跡を消去するために天然或いは合成ゴムを原料とした一般的な「消しゴム」、インクの筆跡を消去するために天然或いは合成ゴムに研磨剤を添加してなる「砂消しゴム」、紙面等に張り付いた修正テープを剥がすための加硫ゴムなどからなる「修正テープ剥がし具」等がある。
【０００３】
また従来、こうした「消しゴム」等は使い勝手が良いように、鉛筆やシャープペンシル等の軸筒の後端に円柱状の消しゴムを着脱自在あるいは固着して取付けられた筆記具が提供されている。消しゴムを軸筒へ取付ける構造としては、筆記具の軸筒へ保持するための保持部材に消しゴムを装着し、該保持部材を軸筒に取付けたもの、あるいは筆記具の軸筒の後端に繰出機構を有した保持構造を一体的に設け、該保持構造の挿着部分に消しゴムを挿着したもの、または、消しゴムに鉛筆等の筆記具を差し込める孔を設けて筆記具等に取付け可能としたもの等、多数提案されている。
【０００４】
前記した保持部材を介して、あるいは軸筒の後端に繰出機構を有した保持構造を一体的に設けて消しゴムを筆記具の軸筒に取付けるものは、確実にしっかりと軸筒に取付けることができ、かつ消しゴムを軸筒に取付けた際の外径が、軸筒の外径よりあまり大径とせず取付けられるという利点はあるが、消しゴムの形状が保持部材や保持構造により制約を受けてしまい、ほとんどの消しゴムの形状が円柱状であるうという事実問題がある。これに対し、消しゴムに鉛筆等の筆記具を差し込める孔を設けたものは、消しゴムの形状に制約を受けず、好みの筆記具に挿着して携帯できるという利点がある。当然、他部材（保持部材）を必要とせずに簡単な構造なので、安価に提供できるという利点もある。本発明者はこうした事実に着目し、筆記具の軸筒が挿着可能な孔を設けた消しゴムを提案することを思い立った。
【０００５】
前記構造の消しゴムは、実開昭６０−６４８９４号公報により提案されている。本考案は、シャープペンシルの軸管中央部に、脱着自在に取付ける字消しゴムにおいて、周壁に凹凸を形成した中空状であることを特徴とするものである。シャープペンシルの軸管中央部に容易に取付け、取りはずしができるので、使いたい時にいつでも簡単に使えるという効果を有する。また、字消しゴムの形状も単なる円筒状のものだけでなく、外形形状を波状に形成したものが開示されている。
【０００６】
ところで、前記したような消しゴムは、たとえ消しゴムの外形形状に制約を受けず、筆記具の軸筒に挿着できるとしても、様々な外形形状に形成した消しゴムを単に１つのみ、筆記具の軸筒に挿着しても面白みが無い。消しゴムとして、消しゴムを様々な形状（例えば断面を四角形状や多角形状とした平板状のブロック）に形成して様々な色彩を施し、前記複数の消しゴムからなるブロックを平面的に組み合わせることにより適宜の平面形状に形成できるパズル状のものや植物や動物等の形状に擬態可能なものや、またさらには、ブロックを立体的な動物や乗物等を構成するパーツに形成し、それらのブロックを組み合わせることで立体的な動物や乗物等の形状に形成可能なものが多数提供されている現況では、消しゴムの前記したような携帯時の利便性や使用時の利便性だけでは、今ひとつ購買者の購買意欲をかき立てる手段としては弱い。
【特許文献１】実開昭６０−６４８９４号公報
【発明の開示】
【発明が解決しようとする課題】
【０００７】
本発明はこうした事実に鑑み、筆記具の軸筒に挿着可能な嵌合孔を形成した消しゴムにおいて、軸筒に挿着した際に、消しゴムの全体形状を適宜に変化可能とする玩具的要素を取り入れ、より一層購買者の購買意欲を掻立てられる消しゴムを提供するものである。
【課題を解決するための手段】
【０００８】
本発明は、
「１．消しゴムで形成された複数のブロックからなる消しゴムセットあって、前記ブロックの各々に、厚み方向に貫通した筆記具の軸筒に挿着可能な嵌合孔を形成してなる消しゴムセット。
２．前記複数のブロックにおいて、前記嵌合孔がブロックの形状の中心点から変位した位置に形成されたブロックが少なくとも１つ以上有することを特徴とする、１項に記載の消しゴムセット。
３．前記複数のブロックにおいて、各々のブロックの形状がそれぞれ異なることを特徴とする、１項又は２項に記載の消しゴムセット。
４．前記複数のブロックが、複数の種類の消しゴムで形成されていることを特徴とする、１項ないし３項の何れか１項に記載の消しゴムセット。」
である。
【０００９】
本発明の消しゴムセットを構成する複数のブロックは、各々のブロックの形状が同一でも異なっていても良く、また各々のブロックの厚みも同一でも異なっていても良い。また、ブロックの表裏面や側面が平坦状で有る必要もなく、波状等に形成してあっても良い。またさらに、各々のブロックの色彩は同一であっても良いし、色彩が各々異なっていても良い。
【発明の効果】
【００１０】
請求項１の発明では、消しゴムで形成された複数のブロックの各々に、厚み方向に貫通した筆記具の軸筒に挿着可能な嵌合孔を形成してあるので、容易に複数のブロックを筆記具の軸筒に連接して取付け取り外しができ、消しゴムとして使いたい時は、軸筒に取り付けた状態、または取り外した状態で使える。また、複数のブロックを筆記具の軸筒に取付けた際に、各々のブロックは筆記具の軸筒を回転軸として回転可能なので、各々のブロックを回転させることで複数のブロックで形成される全体形状を様々な形状に変化させて楽しむことができるという玩具的な要素がある。
【００１１】
ところで、嵌合孔がブロックの形状の中心点の位置にある場合、ブロックが円形状の場合では、各々のブロックが筆記具の軸筒を回転軸として回転しても、円形状の複数のブロックで形成される全体形状は何等変化することがない。この問題を解消するのが請求項２の発明で、嵌合孔をブロックの形状の中心点から変位した位置に形成することで、複数のブロックが円形状であっても、複数のブロックを筆記具の軸筒に取付けて、各々のブロックを回転すれば、複数のブロックで形成される全体形状を様々な形状に変化させて楽しむことができるという玩具的な要素を付加することができる。
【００１２】
請求項３の発明では、複数のブロックの形状をそれぞれ異なったものとすることで、各々のブロックを筆記具の軸筒に連接する順序によって、複数のブロックで形成される全体形状を様々な形状に変化させることができ、かつ各々のブロックを回転すれば、複数のブロックで形成される全体形状を様々な形状に変化させて楽しむことができる。さらに、各々のブロックを回転させることで複数のブロックで形成される全体形状を様々な形状に変化させて楽しむことができるという玩具的な要素がある。
【００１３】
請求項４の発明では、複数のブロックが複数の種類の消しゴムから形成されているので、例えば、砂消しゴムによりインクの筆跡を消去することが、または加硫ゴムなどからなる修正テープ剥がし用消しゴムにより紙面等に張り付いた修正テープを剥がすことができる等、利便性が高まる。
【発明を実施するための最良の形態】
【００１４】
本発明の消しゴムセットは、消しゴムで複数のブロックを形成し、前記ブロックの各々に、厚み方向に貫通した筆記具の軸筒に挿着可能な嵌合孔を形成する。該嵌合孔の大きさは、消しゴムを取付けたい筆記具の軸筒の外径によって左右されるが、筆記具の軸筒に挿着した際に、容易に抜け落ちないようにするために、ブロックは消しゴムで形成されているので若干の弾力性を有しており、嵌合孔の径を軸筒の外径より若干小径にすれば良い。
【００１５】
本発明の消しゴムセットについて、以下図面を用いて説明するが、同じ部材、同じ箇所を示すものには同じ符号を付してある。また、本発明は、本実施例に限定されるものではない。
【実施例１】
【００１６】
図１〜図３は実施例１を示し、図１は本実施例の消しゴムセットを構成するブロックを表す斜視図であり、図２〜図３は消しゴムセットを筆記具（鉛筆）の軸筒に挿着した使用状態を示す図で、図２はその状態を示す平面図であり、図３はその状態を示す側面図である。
実施例１の消しゴムセット１は、図１に示す用に、表裏面２、３が長方形状の一定の厚みを有した平板状の、同一形状の３つのブロック４で構成されている。該ブロックは、天然或いは合成ゴムを原料とした一般的な鉛筆芯の筆跡を消去するための消しゴムで形成されている。ブロック４の前記表裏面２、３の中心部には、表裏面２、３を貫通する、筆記具として断面が正六角形状の一般的な鉛筆Ａの軸筒Ｂに挿着可能に、軸筒Ｂの外径より若干小径な直径に形成した嵌合孔５を形成してある。
【００１７】
次に、使用について説明するが、３つのブロック４において、第１ブロック４ａ、第２ブロック４ｂ、第３ブロック４ｃと称す。
実施例１の消しゴムセット１における第１ブロック４ａ、第２ブロック４ｂ、第３ブロック４ｃを鉛筆Ａの軸筒Ｂに順次挿入し、各ブロックを鉛筆Ａの軸筒Ｂに連接して取付ける。第１ブロック４ａ、第２ブロック４ｂ、第３ブロック４ｃを鉛筆Ａの軸筒Ｂを回転軸として回転し、複数のブロックで形成される全体形状を所望する様々な形状に変化させて楽しむ。図２に示す使用状態は、第１ブロック４ａ、第２ブロック４ｂ、第３ブロック４ｃの表面２ａ、２ｂ、２ｃの長方形形状が重なり合わないように、第２ブロック４ｂを中心にして、第１ブロック４ａを右回り方向に、第３ブロック４ｃを左回り方向に若干回転させて取付けたものである。
【実施例２】
【００１８】
本発明の消しゴムセットにおけるブロックの形状は限定されるものではなく、図４及び図５に示す実施例２は、実施例１におけるブロック２の形状と相違したものである。
図４は本実施例の消しゴムセットを構成するブロックを表す斜視図であり、図５はその消しゴムセット１を鉛筆の軸筒に挿着した使用状態を示す平面図である。
実施例２の消しゴムセット２１は、ブロック２４の形状が厚み方向の表裏面２２、２３を星形形状とした以外は実施例１におけるブロック４と同様に形成してあり、３つの同形状のブロック２４で構成されている。ブロック２４の前記表裏面２２、２３の中心部には、実施例１におけるブロック４と同様に嵌合孔５を形成してある。
【００１９】
次に、使用について説明するが、３つのブロックを、第１ブロック２４ａ、第２ブロック２４ｂ、第３ブロック２４ｃと称す。
実施例２の消しゴムセット２１における第１ブロック２４ａ、第２ブロック２４ｂ、第３ブロック２４ｃを鉛筆Ａの軸筒Ｂに順次挿入し、各ブロックを鉛筆Ａの軸筒Ｂに連接して取付ける。第１ブロック２４ａ、第２ブロック２４ｂ、第３ブロック２４ｃを鉛筆Ａの軸筒Ｂを回転軸として回転し、複数のブロックで形成される全体形状を所望する様々な形状に変化させて楽しむ。図５に示す使用状態は、第１ブロック２４ａ、第２ブロック２４ｂ、第３ブロック２４ｃの各々の星形形状の尖端部が重ならないように、第２ブロック２４ｂ及び第３ブロック２４ｃを回転させて取付けたものである。
【実施例３】
【００２０】
図６及び図７に示す実施例３は、ブロック形状における他の実施例である。
図６は実施例３の消しゴムセットを構成するブロックを表す斜視図であり、図７はその消しゴムセットを鉛筆の軸筒に挿着した使用状態を示す平面図である。
実施例３の消しゴムセット３１は、ブロック３４の形状が厚み方向の表裏面３２、３３を扇形形状とした以外は実施例１におけるブロック４と同様に形成してあり、３つの同形状のブロック３４で構成されている。ブロック３４の前記表裏面３２、３３の尖端部分側３６に寄った位置に、実施例１におけるブロック４と同様に嵌合孔５を形成してある。
【００２１】
次に、使用について説明するが、３つのブロックを、第１ブロック３４ａ、第２ブロック３４ｂ、第３ブロック３４ｃと称す。
実施例３の消しゴムセット３１における第１ブロック３４ａ、第２ブロック３４ｂ、第３ブロック３４ｃを鉛筆Ａの軸筒Ｂに順次挿入し、各ブロックを鉛筆Ａの軸筒Ｂに連接して取付ける。第１ブロック３４ａ、第２ブロック３４ｂ、第３ブロック３４ｃを鉛筆Ａの軸筒Ｂを回転軸として回転し、複数のブロックで形成される全体形状を所望する様々な形状に変化させて楽しむ。図７に示す使用状態は、第１ブロック３４ａ、第２ブロック３４ｂ、第３ブロック３４ｃの各々の扇形形状が重ならないように、第２ブロック３４ａ及び第３ブロック３４ｃを第１ブロック３４ａに対して、１２０度、２４０度づつ回転させて、三つ葉形状となるように取付けたものである。
【実施例４】
【００２２】
図８及び図９に示す実施例４は、ブロック形状における他の実施例である。
図８は実施例４の消しゴムセットを構成するブロックを表す斜視図であり、図９はその消しゴムセットを鉛筆の軸筒に挿着した使用状態を示す平面図である。
実施例４の消しゴムセット４１は、ブロック４４の形状が厚み方向の表裏面４２、４３を円形形状とした以外は実施例１におけるブロック４と同様に形成してあり、３つの同形状のブロック４４で構成されている。ブロック４４の前記表裏面４２、４３の中心点より周縁部４５側に変位した位置の部分には、実施例１におけるブロック４と同様の嵌合孔５を形成してある。
【００２３】
次に、使用について説明するが、３つのブロックを、第１ブロック４４ａ、第２ブロック４４ｂ、第３ブロック４４ｃと称す。
実施例４の消しゴムセット４１における第１ブロック４４ａ、第２ブロック４４ｂ、第３ブロック４４ｃを鉛筆Ａの軸筒Ｂに順次挿入し、各ブロックを鉛筆Ａの軸筒Ｂに連接して取付ける。第１ブロック４４ａ、第２ブロック４４ｂ、第３ブロック４４ｃを鉛筆Ａの軸筒Ｂを回転軸として第１ブロック４４ａの、第２ブロック４４ｂ、第３ブロック４４ｃを鉛筆Ａの軸筒Ｂを回転軸として回転し、複数のブロックで形成される全体形状を所望する様々な形状に変化させて楽しむ。図９に示す使用状態は、第１ブロック４４ａ、第２ブロック４４ｂ、第３ブロック４４ｃの各々の円形形状が重ならないように、第２ブロック４４ａ及び第３ブロック４４ｃを第１ブロック４２ａに対して、１２０度、２４０度づつ回転させて、三つ葉形状となるように取付けたものである。
【００２４】
前記ブロックに形成した嵌合孔５は、各々のブロック４４の前記表裏面４２、４３における中心点より周縁部４５側に偏倚した位置に形成したが、本発明において嵌合孔とは、周壁が閉ざされたものだけを指すのではなく、ブロックの縁部に一部が開口するような凹溝状に形成するものも含み、例えば実施例４におけるブロック４４において、図１０に示すように、嵌合孔として円形形状の周縁部４５に一部が開口した開口部４６を有するＣ型形状の嵌合孔４７であっても良い。
【実施例５】
【００２５】
図１１に示す実施例５は、消しゴムセットを構成する複数のブロックが各々の形状が相違したブロックで構成された他の実施例である。
図１１は、実施例５の消しゴムセットを鉛筆の軸筒に挿着した使用状態を示す図である。
実施例５の消しゴムセット５１は、ブロックの形状が、前記した実施例１の長方形形状のブロック４と、実施例２の星形形状のブロック２４と、実施例３の扇形形状のブロック３４とで構成されている。また、長方形形状のブロック４及び星形形状のブロック２２は、鉛筆芯の筆跡を消去するための一般的な消しゴムで、色彩を異ならしたものである。扇形形状のブロック３４、インクの筆跡を消去するための砂消しゴムとしてある。
【００２６】
使用については、前記した他の実施例と同様に、鉛筆の尖端側Ｃに向かって、星形形状のブロック２４、長方形形状のブロック４、扇形形状のブロック３４の順に配列するように、鉛筆Ａの軸筒Ｂに順次挿入し、各ブロックを鉛筆Ａの軸筒Ｂに連接して取付ける。ブロック２４、ブロック４、ブロック３４を鉛筆Ａの軸筒Ｂを回転軸として回転し、複数のブロックで形成される全体形状を所望する様々な形状に変化させて楽しむ。図１１に示す使用状態は、適宜に星形形状のブロック２４、長方形形状のブロック４、扇形形状のブロック３４を回転させて取付けたものである。
【００２７】
前記した実施例の消しゴムセット１、２１、３１、４１、５１の使用状態において、消しゴムとして使用する場合は、軸筒に取付けた状態で使用することもできるし、ブロックを軸筒から簡単に引っ張って取り外すことができるので軸筒Ｂから取り外して使用し、再度軸筒Ｂに取付けることもできる。
【産業上の利用可能性】
【００２８】
消しゴムセットを構成する各ブロックが複数の種類の消しゴムから形成されていれば、各種類の消しゴムを個別に携帯しなくとも、筆記具の軸筒に連接して取付けた状態で携帯することができ、携帯性、利便性が高まることになる。
【図面の簡単な説明】
【００２９】
【図１】実施例１の消しゴムセットを構成するブロックを表す斜視図である。
【図２】実施例１の消しゴムセットを筆記具（鉛筆）の軸筒に挿着した使用状態を示す図で、その平面図である。
【図３】実施例１の消しゴムセットを筆記具（鉛筆）の軸筒に挿着した使用状態を示す図で、その側面図である。本発明の消しゴムを表す斜視図である。
【図４】実施例２の消しゴムセットを構成するブロックを表す斜視図である。
【図５】実施例２の消しゴムセットを筆記具（鉛筆）の軸筒に挿着した使用状態を示す図で、その平面図である。
【図６】実施例３の消しゴムセットを構成するブロックを表す斜視図である。
【図７】実施例３の消しゴムセットを筆記具（鉛筆）の軸筒に挿着した使用状態を示す図で、その平面図である。
【図８】実施例４の消しゴムセットを構成するブロックを表す斜視図である。
【図９】実施例４の消しゴムセットを筆記具（鉛筆）の軸筒に挿着した使用状態を示す図で、その平面図である。
【図１０】図８におけるブロックにおいて、嵌合孔の位置を変えた場合のブロックの斜視図である。
【図１１】ブロックの形状が各々相違した実施例５の消しゴムセットを筆記具（鉛筆）の軸筒に挿着した使用状態を示す図で、その平面図である
【符号の説明】
【００３０】
１、２１、３１、４１、５１    消しゴムセット
４、２４、３４、４４、５４    ブロック
５、４７    嵌合孔
Ａ    鉛筆
Ｂ    軸筒
【図１】
2006289753.tif 000003
【図２】
2006289753.tif 000004
【図３】
2006289753.tif 000005
【図４】
2006289753.tif 000006
【図５】
2006289753.tif 000007
【図６】
2006289753.tif 000008
【図７】
2006289753.tif 000009
【図８】
2006289753.tif 000010
【図９】
2006289753.tif 000011
【図１０】
2006289753.tif 000012
【図１１】
2006289753.tif 000013